(57)【特許請求の範囲】
【請求項１】
補給水を取り入れた循環冷水を導く蒸発器、圧縮機、凝縮器から構成された水蒸気圧縮冷凍機と、該水蒸気圧縮冷凍機の凝縮器に冷却水を導く冷却塔とでなる装置に於いて、一方で前記蒸発器に熱交換手段を介在させた往き管と帰り管を備え、他方で前記凝縮器から前記帰り管に接続する気泡混入管を備えてなり、前記往き管内と前記帰り管内の循環冷水の密度差と、前記気泡混入管から前記帰り管に混入された気泡により浮力を発生させることを特徴とする水蒸気圧縮冷凍機による水冷媒自然循環冷房システム。
【請求項２】
補給水を取り入れた循環冷水を導く蒸発器、圧縮機、熱交換器を備えた凝縮器から構成された水蒸気圧縮冷凍機と、該水蒸気圧縮冷凍機の凝縮器に冷却水を導く冷却塔とでなる装置に於いて、一方で前記蒸発器に熱交換手段を介在させた往き管と帰り管を備え、他方で前記凝縮器から前記帰り管に接続する気泡混入管を備えてなり、前記往き管内と前記帰り管内の循環冷水の密度差と、前記気泡混入管から前記帰り管に混入された気泡により浮力を発生させることを特徴とする水蒸気圧縮冷凍機による水冷媒自然循環冷房システム。
【請求項３】
前記熱交換手段が、冷房用輻射パネルで構成されたことを特徴とする請求項１又は２記載の水蒸気圧縮冷凍機による水冷媒自然循環冷房システム。
【請求項４】
前記帰り管に接続する前記気泡混入管の位置が、前記凝縮器内と前記帰り管内の圧力差の作用により気泡を混入する前記帰り管内の水深にすることを特徴とする請求項１又は２記載の水蒸気圧縮冷凍機による水冷媒自然循環冷房システム。
【請求項５】
気泡混入量を制御する絞り機構を前記気泡混入管に介在させ、気泡による浮力を制御することによって冷水循環流量を制御することを特徴とする請求項１又は２記載の水蒸気圧縮冷凍機による水冷媒自然循環冷房システム。
【発明の詳細な説明】
【０００１】
【発明の属する技術分野】
本発明は、例えば建物の空調に輻射パネル等の熱交換手段を用いて、水蒸気圧縮冷凍機からの冷水により輻射冷房し、当該水蒸気圧縮冷凍機を高効率で運転させて、冷媒である循環冷水を浮力により自然循環させる技術に関するものである。
【０００２】
【従来の技術】
従来、この種の水蒸気圧縮冷凍機によるポンプ式循環冷房システムは、例えば、図３に示すような構成であった。これについて説明すれば、１は水蒸気圧縮冷凍機であって、蒸発器１ａ、圧縮機１ｂ及び凝縮器１ｃを備えている。該蒸発器１ａは往き管２及び帰り管３を備えており、該往き管２にはポンプ４を介在させ前記往き管２及び帰り管３内の循環冷水を流送し、建物等の冷房機能を果している。そして、蒸発器１ａは補給水５を導入すると共に前記圧縮機１ｂの運転によって低圧に保持しつつ当該循環冷水の一部を蒸発させる。
該凝縮器１ｃは該圧縮機１ｂで加圧され高温になった水蒸気を導入し、これを外部に設置した冷却塔６からポンプ９を介して導いた冷却水７で冷却し凝縮する。図中、８は該凝縮器１ｃに於ける水蒸気及び水に含まれていた空気の一部を排出するための真空ポンプ、１０は前記凝縮器１ｃからの冷却水を前記冷却塔６に流送するためのポンプである。
【０００３】
また、他の従来の技術について説明すると、当該従来の技術は、空調する建物例えば屋外や室外等の高所に冷熱源として蓄熱槽が設けられ、各被空調室内あるいは被空調領域に室内機としての空調機が設置されている。そして、前記蓄熱槽と当該空調機との間は重力式ヒートパイプで接続されており、この重力式ヒートパイプはフロン等の冷媒を使用し、この冷媒の相変化と重力とを利用することにより被空調室内の空調機と冷熱源との間を冷媒が流動して冷熱移動を行う。
そして、当該従来の技術に於いては、冷房運転時に被空調室内の熱負荷を空調機内の熱交換器で冷媒が液相から気相に変化し、上記重力式ヒートパイプ内を上昇して冷熱源の蓄熱槽に至る。そして、気相の冷媒は、該蓄熱槽内で冷却されて凝縮し、液相の冷媒が重力により上記重力式ヒートパイプ内を下降して当該空調機へ戻る動作を有する。
【０００４】
【発明が解決しようとする課題】
従来の技術は叙上の構成であるので、次の課題が存在した。
▲１▼前者によれば、冷房システム内にポンプ４等を備え、この働きにより循環冷水を往き管２及び帰り管３へ流送する技術であるので、ポンプ４自体及びポンプ４等の設置工数や設置費用はもとより、ポンプを駆動する制御スイッチや搬送動力又は電気エネルギーが必要とされ、冷房システムが大規模化し、冷房システム全体の設置工数や設備費用又はランニングコストが増大するという問題点があった。
▲２▼後者によれば、フロン等の冷媒を使用するので、漏れ現象の惧れやそれに基づく冷媒充填が必要となり、これが大気に放出されることとなれば成層圏に於いて、紫外線に分解され塩素原子を生成して連鎖反応によりオゾン層を破壊する可能性や地球の温暖化を促進するという弊害があった。
そして、当該従来の技術では、フロン等の冷媒を使用しているので、間接熱交換となり蒸発器で製造された冷水を直接利用することができず、冷凍機の効率が低下するという欠点があった。また、この従来技術の冷媒に水を適用した場合、水が気液の容積比が大きいことから、気化冷却作用による冷房方法では帰り管の管径を太くしなければならないと共にコスト高となる問題点があった。
【０００５】
【課題を解決するための手段】
本発明は、建物の空調に熱交換手段を使用すると共に、この熱交換手段を介在させた往き管と帰り管の循環冷水の密度差と該帰り管に混入された気泡により浮力を発生させて当該冷水を自然循環させること、及び、水蒸気圧縮冷凍機を高効率で運転させるシステムを提供することを目的としたものであって、次の構成、手段から成立するものである。
【０００６】
請求項１記載の発明によれば、補給水を取り入れた循環冷水を導く蒸発器、圧縮機、凝縮器から構成された水蒸気圧縮冷凍機と、該水蒸気圧縮冷凍機の凝縮器に冷却水を導く冷却塔とでなる装置に於いて、一方で前記蒸発器に熱交換手段を介在させた往き管と帰り管を備え、他方で前記凝縮器から前記帰り管に接続する気泡混入管を備えてなり、前記往き管内と前記帰り管内の循環冷水の密度差と、前記気泡混入管から前記帰り管に混入された気泡により浮力を発生させることを特徴とする水蒸気圧縮冷凍機による水冷媒自然循環冷房システムである。
【０００７】
請求項２記載の発明によれば、補給水を取り入れた循環冷水を導く蒸発器、圧縮機、熱交換器を備えた凝縮器から構成された水蒸気圧縮冷凍機と、該水蒸気圧縮冷凍機の凝縮器に冷却水を導く冷却塔とでなる装置に於いて、一方で前記蒸発器に熱交換手段を介在させた往き管と帰り管を備え、他方で前記凝縮器から前記帰り管に接続する気泡混入管を備えてなり、前記往き管内と前記帰り管内の循環冷水の密度差と、前記気泡混入管から前記帰り管に混入された気泡により浮力を発生させることを特徴とする水蒸気圧縮冷凍機による水冷媒自然循環冷房システムである。
【０００８】
請求項３記載の発明によれば、前記熱交換手段が、冷房用輻射パネルで構成されたことを特徴とする請求項１又は２記載の水蒸気圧縮冷凍機による水冷媒自然循環冷房システムである。
【０００９】
請求項４記載の発明によれば、前記帰り管に接続する前記気泡混入管の位置が、前記凝縮器内と前記帰り管内の圧力差の作用により気泡を混入する前記帰り管内の水深にすることを特徴とする請求項１又は２記載の水蒸気圧縮冷凍機による水冷媒自然循環冷房システムである。
【００１０】
請求項５記載の発明によれば、気泡混入量を制御する絞り機構を前記気泡混入管に介在させ、気泡による浮力を制御することによって冷水循環流量を制御することを特徴とする請求項１又は２記載の水蒸気圧縮冷凍機による水冷媒自然循環冷房システムである。
【００１１】
【発明の実施の形態】
以下、添付図面に基づき、本発明に係る水蒸気圧縮冷凍機による水冷媒自然循環冷房システムの実施の形態について詳細に説明する。
【００１２】
【発明の実施の形態１】
図１は、本発明に係る水蒸気圧縮冷凍機による水冷媒自然循環冷房システムの実施の形態１の一例を示す構成配置図である。
９は水蒸気圧縮冷凍機であって、蒸発器９ａ、圧縮機９ｂ及び凝縮器９ｃを備えている。該蒸発器９ａは補給水１０を取入れた循環冷水１１を導くと共に、前記圧縮機９ｂの運転によって低圧に保持しつつ当該循環冷水１１の一部を蒸発させる。該圧縮機９ｂは当該蒸発器９ａから導入された水蒸気を所定の条件で加圧する。前記凝縮器９ｃは前記圧縮機９ｂで加圧されかつ高温になった水蒸気を導入し、これを外部に設置した冷却塔１２から導いた冷却水１３で冷却し凝縮する。９ｄは真空ポンプであり該凝縮器９ｃに蓄積された水蒸気及び水に含まれていた空気の一部を排出する。
図中、１３ａ、１３ｂはそれぞれ冷却水ポンプであり、前記冷却塔１２から凝縮器９ｃへ冷却水１３を流送する。
【００１３】
尚、前記補給水１０は、海水、河川水、下水処理水、廃水処理水、工業用水または上水等各種の水が適用される。
【００１４】
前記冷却塔１２は、前記水蒸気圧縮冷凍機９の付帯設備であり、前記凝縮器９ｃから導かれた冷却水１３を冷却水ポンプ１３ａで流送する。そして、該冷却塔１２は冷却水１３を冷却水ポンプ１３ｂで前記凝縮器９ｃへ導入する。また、前記冷却塔１２は前記凝縮器９ｃに於いて、水蒸気を凝縮することで温度上昇した冷却水１３の熱を大気に放出する機能を有する。
【００１５】
１４は冷水管でなる往き管であって、その経路には循環冷水１１が前記蒸発器９ａから流送され、建物の各階層に設置された熱交換手段１５としての冷房用輻射パネルを介在させている。そして、一端は前記往き管１４の上部に位置する前記蒸発器９ａに連結され、その他端は帰り管１６に連結されている。該熱交換手段１５は熱交換コイルや汎用の熱交換器で構成してもよい。該帰り管１６は前記往き管１４又は前記熱交換手段１５と接続してあって、その上端は前記帰り管１６の上部に位置する前記蒸発器９ａの入力側に連結している。前記凝縮器９ｃの出力側と前記帰り管１６との間には気泡混入管１７が接続され、該凝縮器９ｃからの気泡が前記帰り管１６内に混入されている。そして、前記帰り管１６に接続する前記気泡混入管１７の位置すなわち接続部位１６ａが、前記凝縮器９ｃ内と帰り管１６すなわち蒸発器９ａ内の圧力差の作用により気泡を混入する前記帰り管１６内の水深に適合させている。そして、当該凝縮器９ｃは、気泡混入管１７から帰り管１６へ気泡混入動作により自然に気泡を混入し又は混入させることができる。
【００１６】
前記往き管１４は建物の最上階から最下階又は地階まで一連に垂下配管されており、前記熱交換手段１５を介して前記帰り管１６が建物の最下階から最上階まで立設配管されるものである。そして、該熱交換手段１５も建物の各階に設置されてなる。１８は絞り機構であって、前記気泡混入管１７に介在させ、また、気泡の混入量は調整弁等でなる該絞り機構１８を動作させることにより行う。
尚、図中、１９は往き管１４の最下部に設置したドレン弁であって、往き管１４内の循環冷水１１を一部放出する機能を有する。
【００１７】
次に、本発明に係る水蒸気圧縮冷凍機による水冷媒自然循環冷房システムの実施の形態１の動作について説明する。
【００１８】
前記水蒸気圧縮冷凍機９の圧縮機９ｂが運転すると、該蒸発器９ａが循環冷水１１を往き管１４に流送させる。ここで、建物の各階の被空調室を冷房すべく熱交換手段１５として輻射パネルを用いれば、蒸発器９ａからの循環冷水１１の水温を例えば１８℃程度とし、該循環冷水１１と凝縮器９ｃの凝縮水の水温差を小さくすることで水蒸気圧縮冷凍機９を高効率で運転することができる。試算によれば、該凝縮器９ｃの出口水温すなわち凝縮水の水温を３４℃とすると、循環冷水１１の水温１８℃から、その水蒸気圧縮冷凍機９の該単体の成績係数は８〜１０程度となる。本発明のシステムでは、熱交換手段１５としての冷房用輻射パネルに送る循環冷水１１は水蒸気圧縮冷凍機９の蒸発器９ａ内で冷却したものであり、該循環冷水１１が冷房に利用される。
【００１９】
さらに、ここではこの循環冷水１１が前記往き管１４内を流送し、該循環冷水１１と輻射パネルにより、輻射冷房して水温が上昇した帰り管１６内の循環冷水１１の密度差、すなわち熱交換手段１５により生じた往き管１４と帰り管１６内の循環冷水１１の密度差によって浮力が発生し、また帰り管１６内に水蒸気圧縮冷凍機９の凝縮器９ｃ側の気泡混入管１７から空気混じりの気泡を導くことによる気泡発生による浮力が生じ、さらに当該水蒸気圧縮冷凍機９の近傍に於いて該水蒸気圧縮冷凍機９の蒸発器９ａ内が低圧になることから帰り管１６内に気泡を発生することによる浮力が発生し、前記循環冷水１１の自然循環作用の動作を行う。
【００２０】
往き管１４内と帰り管１６内の循環冷水１１の密度差による浮力は、例えば１８℃の循環冷水１１の密度が約９９８．６ｋｇ／ｍ３であり、輻射パネルによる輻射冷房後の２３℃の循環冷水１１ではその密度が約９９７．５ｋｇ／ｍ３であることから生じる。帰り管１６内に気泡混入管１７からの水蒸気圧縮冷凍機９の凝縮器９ｃ側の空気混じり水蒸気を導くことによる気泡発生による浮力については、凝縮器９ｃ内の圧力を３４℃の飽和水蒸気圧すなわち５．３１８ｋＰａとすると、蒸発器９ａ内は１８℃の飽和水蒸気圧すなわち２．０６２ｋＰａであることから、差圧は３．２５６ｋＰａとなる。帰り管１６の水深約２７０ｍｍのところに凝縮器９ｃ側から適量の空気混じり水蒸気や気泡を導くことで帰り管１６内に気泡が生じ、単位容積当たりの重量が低下することで浮力が発生する。さらに、水蒸気圧縮冷凍機９の蒸発器９ａ内は２．０６２ｋＰａとなっており、帰り管１６内の循環冷水１１の水温について、冷房用輻射パネルに循環冷水１１が利用され水温が上昇し約２３℃とすると、帰り管１６内の循環冷水１１の飽和水蒸気圧は２．８１２ｋＰａになっており、蒸発器９ａの容器内が帰り管１６内の飽和水蒸気圧以下となることから、前記水蒸気圧縮冷凍機９近傍に於いては、帰り管１６内の循環冷水１１に沸騰による気泡が生じ浮力が発生する。これらの浮力の合計値は、５〜１０ｋＰａと概算される。
【００２１】
尚、高い浮力を得るには、真空ポンプ９ｄなどに加わる負荷は多少大きくなるが、水蒸気圧縮冷凍機９の真空ポンプ９ｄの排気側から排気量の一部を空気混じり水蒸気又は少量の大気を前記気泡混入管１７により循環冷水１１の帰り管１６内に導くことで該循環冷水１１の浮力を高めることができる。この場合に浮力の合計値は１５〜２５ｋＰａとして概算される。また、前記気泡混入管１７に替えて、前記帰り管１６に直接大気を導入してもよい。
【００２２】
【発明の実施の形態２】
図２は、本発明に係る水蒸気圧縮冷凍機による水冷媒自然循環冷房システムの実施の形態２の一例を示す構成配置図である。
９は水蒸気圧縮冷凍機であって、蒸発器９ａ、圧縮機９ｂ及び凝縮器９ｃを備えている。該蒸発器９ａは補給水１０を取入れた循環冷水１１を導くと共に、前記圧縮機９ｂの運転によって低圧に保持しつつ当該循環冷水１１の一部を蒸発させる。該圧縮機９ｂは当該蒸発器９ａから導入された水蒸気を所定の条件で加圧する。前記凝縮器９ｃは前記圧縮機９ｂで加圧されかつ高温になった水蒸気を導入し、これを外部に設置した冷却塔１２から導いた冷却水１３で冷却し凝縮する。９ｄは真空ポンプであり該凝縮器９ｃに蓄積された水蒸気及び水に含まれていた空気の一部を排出する。
【００２３】
ここに於いて、２０は前記水蒸気圧縮冷凍機９と冷却塔１２間に介置された熱交換器であって、熱交換作用をさせながらその冷却塔１２からの冷却水ポンプ１３ｄの循環流送に基づき冷却水１３を冷却水ポンプ１３ｃで凝縮器９ｃに流送する。
尚、前記補給水１０は、海水、河川水、下水処理水、廃水処理水、工業用水または上水等各種の水が適用される。
【００２４】
前記冷却塔１２は、前記水蒸気圧縮冷凍機９の付帯設備であり、前記凝縮器９ｃから冷却水ポンプ１３ｃで流送された冷却水１３を前記熱交換器２０を介して冷却水ポンプ１３ｄにより循環冷却する。また、前記冷却塔１２は前記凝縮器９ｃに於いて、水蒸気を凝縮することで温度上昇した冷却水１３の熱を大気に放出する機能を有する。
【００２５】
１４は冷水管でなる往き管であって、その経路には循環冷水１１が前記蒸発器９ａから流送され、建物の各階層に設置された熱交換手段１５としての冷房用輻射パネルを介在させている。そして、一端は前記往き管１４の上部に位置する前記蒸発器９ａに連結され、その他端は帰り管１６に連結されている。該熱交換手段１５は熱交換コイルや汎用の熱交換器で構成してもよい。該帰り管１６は前記往き管１４又は前記熱交換手段１５と接続してあって、その上端は前記帰り管１６の上部に位置する前記蒸発器９ａの入力側に連結している。前記凝縮器９ｃの出力側と前記帰り管１６との間には気泡混入管１７が接続され、該凝縮器９ｃからの気泡が前記帰り管１６内に混入されている。そして、前記帰り管１６に接続する前記気泡混入管１７の位置すなわち接続部位１６ａが前記凝縮器９ｃ内と帰り管１６すなわち蒸発器９ａ内の圧力差の作用により気泡を混入する前記帰り管内の水深に適合させている。そして、当該凝縮器９ｃは、気泡混入管１７から帰り管１６へ気泡混入動作により自然に気泡を混入し又は混入させることができる。
【００２６】
前記往き管１４は建物の最上階から最下階又は地階まで一連に垂下配管されており、前記熱交換手段１５を介して前記帰り管１６が建物の最下階から最上階まで立設配管されるものである。そして、該熱交換手段１５も建物の各階に設置されてなる。１８は絞り機構であって、前記気泡混入管１７に介在させ、また、気泡の混入量は調整弁等でなる該絞り機構１８を動作させることにより行う。
尚、本発明に係る実施の形態２の他の構成は前記本発明に係る実施の形態１と略同一であるので、その説明を省略する。
【００２７】
本発明に係る水蒸気圧縮冷凍機による水冷媒自然循環冷房システムの実施の形態２の動作は、前記本発明による実施の形態１と略同一であるので、その相違点のみ説明し、他の説明は省略する。
【００２８】
本発明に係る実施の形態２は、特に、本発明に係る実施の形態１の構成に熱交換器２０を設置した実施の形態である。当該実施の形態２によれば、前記蒸発器９ａから圧縮機９ｂ、凝縮器９ｃ及び蒸発器９ａの閉回路が形成されており、前記水蒸気圧縮冷凍機９の蒸発器９ａで蒸発した水蒸気を圧縮機９ｂを経由して前記凝縮器９ｃに流送する。そして、該凝縮器９ｃで凝縮した水を該蒸発器９ａに流送する。
【００２９】
本発明の実施の形態２によれば、前記凝縮器９ｃから前記真空ポンプ９ｄを介して水蒸気又は水の一定量が排出される。そこで、補給水１０により蒸発器９ａに補給する。この補給水１０の中にはミネラル分が包含されており、前記真空ポンプ９ｄの動作により、本発明に係るシステム内のミネラル分が濃縮されることとなるが、本発明の実施の形態１のように、前記蒸発器９ａで蒸発した水がすべて前記凝縮器９ｃから排出される構成に比較して、当該ミネラル分の濃縮速度が緩慢であり、冷水の水質が向上すると共に水質管理が容易となる動作をする。
【００３０】
【発明の効果】
本発明に係る水蒸気圧縮冷凍機による水冷媒自然循環冷房システムは、叙上の構成、動作を有するので次の効果がある。
【００３１】
請求項１記載の発明によれば、補給水を取り入れた循環冷水を導く蒸発器、圧縮機、凝縮器から構成された水蒸気圧縮冷凍機と、該水蒸気圧縮冷凍機の凝縮器に冷却水を導く冷却塔とでなる装置に於いて、一方で前記蒸発器に熱交換手段を介在させた往き管と帰り管を備え、他方で前記凝縮器から前記帰り管に接続する気泡混入管を備えてなり、前記往き管内と前記帰り管内の循環冷水の密度差と、前記気泡混入管から前記帰り管に混入された気泡により浮力を発生させることを特徴とする水蒸気圧縮冷凍機による水冷媒自然循環冷房システムを提供する。
このような構成としたので、建物等の被空調室内を冷房する際、往き管の経路に熱交換手段としての例えば冷房用輻射パネルを介在させ、約１８℃程度の循環冷水により輻射冷房し、当該水蒸気圧縮冷凍機を高効率で運転可能とし、ポンプを使用することなく負荷側の機器の熱交換による密度差で発生した浮力により冷媒である循環冷水を自然循環させる効果がある。また、本発明のシステムのように、冷媒水の自然循環方式によるシステムを構築するための設備費や設置スペースを大幅に削減して小規模化を実現し、更に、当該水蒸気圧縮冷凍機の夏季に於ける運転に際し、本システムの稼動に於けるランニングコストの低減を図れる効果がある。また、本発明に係るシステムは、循環冷水の搬送にポンプを使用せず、脈動等が発生しないことから、半導体工場等に於ける生産装置等の冷却システムに応用することができ、その利用範囲は極めて広いものである。
【００３２】
請求項２記載の発明によれば、補給水を取り入れた循環冷水を導く蒸発器、圧縮機、熱交換器を備えた凝縮器から構成された水蒸気圧縮冷凍機と、該水蒸気圧縮冷凍機の凝縮器に冷却水を導く冷却塔とでなる装置に於いて、一方で前記蒸発器に熱交換手段を介在させた往き管と帰り管を備え、他方で前記凝縮器から前記帰り管に接続する気泡混入管を備えてなり、前記往き管内と前記帰り管内の循環冷水の密度差と、前記気泡混入管から前記帰り管に混入された気泡により浮力を発生させることを特徴とする水蒸気圧縮冷凍機による水冷媒自然循環冷房システムを提供する。
このような構成としたので、前述の請求項１の効果に加えて、熱交換器を前記水蒸気圧縮冷凍機と前記冷却塔との間に介在させてあり、冷凍サイクルと負荷側の配管が密閉状態に構成され循環冷水の水質を高品質に保持できる効果がある。
【００３３】
請求項３記載の発明によれば、前記熱交換手段が、冷房用輻射パネルで構成されたことを特徴とする請求項１又は２記載の水蒸気圧縮冷凍機による水冷媒自然循環冷房システムを提供する。
このような構成としたので、熱交換手段として各種の冷房用輻射パネルを使用し、冷水の温度を高めに設定できる効果がある。
【００３４】
請求項４記載の発明によれば、前記帰り管に接続する前記気泡混入管の位置が、前記凝縮器内と前記帰り管内の圧力差の作用により気泡を混入する前記帰り管内の水深にすることを特徴とする請求項１又は２記載の水蒸気圧縮冷凍機による水冷媒自然循環冷房システムを提供する。
このような構成としたので、帰り管内の気泡発生部位と冷水水位を設定し、帰り管内に必ず気泡を発生させる効果がある。
【００３５】
請求項５記載の発明によれば、気泡混入量を制御する絞り機構を前記気泡混入管に介在させ、気泡による浮力を制御することによって冷水循環流量を制御することを特徴とする請求項１又は２記載の水蒸気圧縮冷凍機による水冷媒自然循環冷房システムを提供する。
このような構成としたので、調整弁等でなる絞り機構を気泡混入管の経路に介在させて気泡混入管から帰り管への気泡混入量をコントロールでき、これに基づく帰り管内の循環冷水の流量等を好適に制御できる効果がある。また、当該絞り機構を電気信号で自動動作させ本システムの無人化も実現できる効果がある。
【図面の簡単な説明】
【図１】本発明に係る水蒸気圧縮冷凍機による水冷媒自然循環冷房システムの実施の形態１の一例を示す構成配置図である。
【図２】本発明に係る水蒸気圧縮冷凍機による水冷媒自然循環冷房システムの実施の形態２の一例を示す構成配置図である。
【図３】従来の技術に於ける水蒸気圧縮冷凍機によるポンプ式循環冷房システムの構成配置図である。
【符号の説明】
９              水蒸気圧縮冷凍機
９ａ            蒸発器
９ｂ            圧縮機
９ｃ            凝縮器
９ｄ            真空ポンプ
１０            補給水
１１            循環冷水
１２            冷却塔
１３            冷却水
１３ａ          冷却水ポンプ
１３ｂ          冷却水ポンプ
１３ｃ          冷却水ポンプ
１３ｄ          冷却水ポンプ
１４            往き管
１５            熱交換手段
１６            帰り管
１６ａ          気泡混入管の接続部位
１７            気泡混入管
１８            絞り機構
１９            ドレン弁
２０            熱交換器
【図１】
0004052867.tif 000002
【図２】
0004052867.tif 000003
【図３】
0004052867.tif 000004